(57)【要約】【課題】  互いに結合されるレセプタクル本体部とプラグ本体部の対向部の面積を有効に活用して多数の接点部材を配列することができるコネクタを提供することを目的としている。【解決手段】  レセプタクル本体部１０に外側連結開口部１８，１９と内側連結開口部２１ａ，２１ｂ，２２ａ，２２ｂが開口し、外側連結開口部１８，１９に外側レセプタクル接点部材の接触部３２ｄが配置され、内側連結開口部２１ａ，２１ｂ，２２ａ，２２ｂに内側レセプタクル接点部材の接触部４２ｄが配置されている。プラグ本体部５０には、前記外側レセプタクル接点部材に対向する外側プラグ接点部材と、前記内側レセプタクル接点部材に対向する内側プラグ接点部材が設けられている。レセプタクル本体部１０とプラグ本体部５０の対向側の広い面積を利用して接触部を多数配列させることができる。【選択図】図１
2010182611.tif 000002
【特許請求の範囲】
【請求項１】
絶縁材料で形成されたレセプタクル本体部および絶縁材料で形成されたプラグ本体部と、前記レセプタクル本体部に支持された導電性のレセプタクル接点部材と、前記プラグ本体部に支持された導電性のプラグ接点部材と、を有するコネクタにおいて、
前記レセプタクル本体部のＹ方向に離れたそれぞれの位置に、Ｙ方向と直交するＸ方向に間隔を空けて並ぶ複数の外側レセプタクル接点部材が支持され、前記外側レセプタクル接点部材と前記外側レセプタクル接点部材とで挟まれた内側領域に、Ｘ方向に間隔を空けて並ぶ複数の内側レセプタクル接点部材が支持されており、
前記プラグ本体部のＹ方向に離れたそれぞれの位置に、Ｘ方向に間隔を空けて並ぶ複数の外側プラグ接点部材が支持され、前記外側プラグ接点部材と前記外側プラグ接点部材とで挟まれた内側領域に、Ｘ方向に間隔を空けて並ぶ複数の内側プラグ接点部材が支持されており、
前記レセプタクル本体部と前記プラグ本体部とが結合されると、前記外側レセプタクル接点部材と前記外側プラグ接点部材とが接触し、前記内側レセプタクル接点部材と前記内側プラグ接点部材とが接触することを特徴とするコネクタ。
【請求項２】
前記外側レセプタクル接点部材と前記内側レセプタクル接点部材は、それぞれＹ方向に間隔を空けて対向する弾性変形可能な一対の接触部を有し、前記外側プラグ接点部材と前記内側プラグ接点部材は、それぞれ前記レセプタクル本体部に向けて突状に形成された接触部を有しており、
前記レセプタクル本体部と前記プラグ本体部とが結合されたときに、突状に形成された前記接触部が一対の前記接触部に挟まれて、前記外側レセプタクル接点部材と前記外側プラグ接点部材とが導通し、前記内側レセプタクル接点部材と前記内側プラグ接点部材とが導通する請求項１記載のコネクタ。
【請求項３】
前記プラグ本体部には、Ｙ方向に離れたそれぞれの位置に、Ｘ方向に延びるとともに前記レセプタクル本体部に向けて突出する外側介入部と、前記外側介入部と前記外側介入部とで挟まれた内側領域においてＸ方向に延びるとともに前記レセプタクル本体部に向けて突出する内側介入部とが一体に形成されており、
複数の前記外側プラグ接点部材が、Ｘ方向に間隔を空けて前記外側介入部に埋設されて、前記外側プラグ接点部材の前記接触部が、前記外側介入部のＹ方向に向く両側面に現れ、複数の前記内側プラグ接点部材が、Ｘ方向に間隔を空けて前記内側介入部に埋設され、前記内側プラグ接点部材の前記接触部が、前記内側介入部のＹ方向に向く両側面に現れており、
前記レセプタクル本体部と前記プラグ本体部とが結合されたときに、前記外側介入部が前記外側レセプタクル接点部材の一対の前記接触部の間に介入して、前記外側プラグ接点部材の前記接触部が前記外側レセプタクル接点部材の一対の前記接触部に挟まれ、前記内側介入部が前記内側レセプタクル接点部材の一対の前記接触部の間に介入して、前記内側プラグ接点部材の前記接触部が前記内側レセプタクル接点部材の一対の前記接触部に挟まれる請求項２記載のコネクタ。
【請求項４】
前記外側プラグ接点部材の前記接触部が前記外側介入部に変形できないように固定され、前記内側プラグ接点部材の前記接触部が前記内側介入部に変形できないように固定されており、
前記外側介入部が前記外側レセプタクル接点部材の一対の前記接触部の間に介入したときに、前記外側プラグ接点部材の前記接触部が変形せず、前記外側レセプタクル接点部材の一対の前記接触部が弾性変形し、前記内側介入部が前記内側レセプタクル接点部材の一対の前記接触部の間に介入したときに、前記内側プラグ接点部材の前記接触部が変形せず、前記内側レセプタクル接点部材の一対の前記接触部が弾性変形する請求項３記載のコネクタ。
【請求項５】
前記外側介入部の前記両側面と、前記外側プラグ接点部材の前記接触部の外面が同一面であり、前記内側介入部の前記両側面と、前記内側プラグ接点部材の前記接触部の外面が同一面である請求項３または４記載のコネクタ。
【請求項６】
前記レセプタクル本体部には、Ｙ方向に離れたそれぞれの位置に、Ｘ方向に延びる外側連結開口部と、前記外側連結開口部と前記外側連結開口部とで挟まれた内側領域においてＸ方向に延びる内側連結開口部が形成されており、
複数の前記外側レセプタクル接点部材が、前記外側連結開口部内でＸ方向に間隔を空けて配置されているとともに、それぞれの前記外側レセプタクル接点部材に設けられた一対の前記接触部が前記外側連結開口部を挟んで対向し、複数の前記内側レセプタクル接点部材が、前記内側連結開口部内でＸ方向に間隔を空けて配置されているとともに、それぞれの前記内側レセプタクル接点部材の一対の前記接触部が前記内側連結開口部を挟んで対向しており、
前記外側プラグ接点部材の前記接触部が、前記外側連結開口部に入り込んで前記外側レセプタクル接点部材の一対の前記接触部に挟まれ、前記内側プラグ接点部材の前記接触部が、前記内側連結開口部に入り込んで前記内側レセプタクル接点部材の一対の前記接触部に挟まれる請求項２ないし５のいずれかに記載のコネクタ。
【請求項７】
前記レセプタクル本体部には、前記外側レセプタクル接点部材とＸ方向に並ぶ位置に、金属板で形成されたレセプタクル側の掛止接触部が設けられ、前記プラグ本体部には、前記外側プラグ接点部材とＸ方向に並ぶ位置に、金属板で形成されたプラグ側の掛止接触部が設けられ、
前記レセプタクル本体部と前記プラグ本体部とが結合されるときに、レセプタクル側の前記掛止接触部とプラグ側の前記掛止接触部とが掛止される請求項１ないし６のいずれかに記載のコネクタ。
【請求項８】
レセプタクル側の前記掛止接触部とプラグ側の前記掛止接触部の少なくとも一方には、他方を掛止するための爪部が一体に形成されている請求項７記載のコネクタ。
【請求項９】
レセプタクル側の前記掛止接触部は、Ｙ方向に離れた位置でＸ方向に並ぶ前記外側レセプタクル接点部材のそれぞれの列の中に２箇所ずつ合計で４箇所に設けられ、プラグ側の前記掛止接触部はレセプタクル側の前記掛止接触部のそれぞれに対応する４箇所に設けられている請求項７または８記載のコネクタ。
【請求項１０】
それぞれの前記外側レセプタクル接点部材は、Ｘ方向に間隔を空けて前記接触部と端子部とが一体に形成され、前記端子部がＹ方向に延びて前記レセプタクル本体部の外側へ突出しており、
それぞれの前記内側レセプタクル接点部材は、Ｘ方向に間隔を空けて前記接触部と端子部とが一体に形成されており、
前記内側レセプタクル接点部材の前記端子部は、Ｙ方向に延び前記外側レセプタクル接点部材の前記接触部の下側を通過して前記レセプタクル本体部の外側に突出している請求項１ないし９のいずれかに記載のコネクタ。
【発明の詳細な説明】
【技術分野】
【０００１】
本発明は、レセプタクル本体部とプラグ本体部とが結合されるコネクタに係り、特に、レセプタクル本体部とプラグ本体部に多数の接点部材を配置できるコネクタに関する。
【背景技術】
【０００２】
プリント配線基板に形成された複数の通電部と、他のプリント配線基板などに形成された複数の通電部とを電気的に連結するために、薄型のコネクタが使用されている。このコネクタは、一方の配線基板の通電部に導通するレセプタクル側のコネクタと、他方の配線基板の通電部に導通するプラグ側のコネクタとを有している。
【０００３】
以下の特許文献１に記載されたコネクタは、レセプタクル側のボディにプラグ側との結合方向に掘り込んだプラグ挿入凹部が形成され、プラグ挿入凹部には、さらに複数のコンタクト用溝が間隔を空けて形成されている。それぞれのコンタクト用溝内に、薄い板状のばね材から打ち抜かれたソケットコンタクトが差し込まれており、ソケットコンタクトは、前記コンタクト用溝の内部で互いに対向する接触子を有している。
【０００４】
プラグ側のコネクタには、挿入部が突出形成されているとともに、この挿入部に複数のコンタクト用溝が形成され、薄い板状のばね材から打ち抜かれたピンコンタクトが、前記挿入部に形成されたコンタクト用溝内に保持されている。
【０００５】
プラグ側のコネクタの前記挿入部が、レセプタクル側のコネクタの前記プラグ挿入凹部に嵌着されることで、両コネクタが結合され、このときピンコンタクトが、ソケットコンタクトの対向する接触子の間に挟まれて、ピンコンタクトとソケットコンタクトとが個別に導通される。
【０００６】
以下の特許文献２には、薄型でコンタクト数の多いコネクタが開示されている。このコネクタは、平面形状が長方形のレセプタクル本体の長辺に沿って差込溝が形成され、差込溝の長手方向に間隔を空けて複数のレセプタクルコンタクトが支持されており、複数のレセプタクルコンタクトは、差込溝を挟むように配置されている。プラグ本体は平面形状が長方形であり、両側の長辺に壁部が一体に形成され、この壁部に複数のプラグコンタクトが支持されている。
【０００７】
前記壁部が前記差込溝に差し込まれることで、プラグ側のコネクタがレセプタクル側のコネクタに結合され、このとき個々のプラグコンタクトが、レセプタクルコンタクトに挟まれて導通される。
【０００８】
特許文献３に記載されたコネクタは、レセプタクル側のソケットの長辺に沿って、コンタクトが２列に配列され、プラグ側のヘッダにも長辺に沿って端子部が２列に配列して設けられており、ヘッダがソケットに結合されると、ヘッダ側の２列の端子部のそれぞれがソケットのそれぞれのコンタクトに挟まれて、コンタクトと端子部とが個別に導通される。
【先行技術文献】
【特許文献】
【０００９】
【特許文献１】特開平７−２８２９２２号公報
【特許文献２】特開２００７−１８９９３号公報
【特許文献３】特開２００４−５５４６３号公報
【発明の概要】
【発明が解決しようとする課題】
【００１０】
特許文献１に記載されたコネクタは、レセプタクル側とプラグ側に設けられたコンタクトが１列であり、特許文献２と特許文献３に記載されたコネクタは、レセプタクル側とプラグ側に設けられたコンタクトが２列である。
【００１１】
そのため、コンタクトの数を多くすると、レセプタクル本体とプラグ本体の双方を細長い形状にすることが必要になる。細長い形状のレセプタクル本体とプラグ本体を配線基板に半田付けする際に、レセプタクル本体やプラグ本体に反りが発生しやすくなり、その結果、全てのコンタクトどうしを確実に嵌合させるための押圧作業が難しくなり、場所によってはコンタクトどうしの嵌合深さが浅くなって接触不良を生じることもある。
【００１２】
またレセプタクル本体とプラグ本体とが細長いと、基板上でコネクタが細長い領域を占有することになり、他の回路の配線領域を制限することがある。
【００１３】
本発明は上記従来の課題を解決するものであり、レセプタクル本体部とプラグ本体部に多数の接点部材を効率よく配置でき、またそれぞれの接点部材どうしを均一な嵌合力で接合させやすいコネクタを提供することを目的としている。
【課題を解決するための手段】
【００１４】
本発明は、絶縁材料で形成されたレセプタクル本体部および絶縁材料で形成されたプラグ本体部と、前記レセプタクル本体部に支持された導電性のレセプタクル接点部材と、前記プラグ本体部に支持された導電性のプラグ接点部材と、を有するコネクタにおいて、
前記レセプタクル本体部のＹ方向に離れたそれぞれの位置に、Ｙ方向と直交するＸ方向に間隔を空けて並ぶ複数の外側レセプタクル接点部材が支持され、前記外側レセプタクル接点部材と前記外側レセプタクル接点部材とで挟まれた内側領域に、Ｘ方向に間隔を空けて並ぶ複数の内側レセプタクル接点部材が支持されており、
前記プラグ本体部のＹ方向に離れたそれぞれの位置に、Ｘ方向に間隔を空けて並ぶ複数の外側プラグ接点部材が支持され、前記外側プラグ接点部材と前記外側プラグ接点部材とで挟まれた内側領域に、Ｘ方向に間隔を空けて並ぶ複数の内側プラグ接点部材が支持されており、
前記レセプタクル本体部と前記プラグ本体部とが結合されると、前記外側レセプタクル接点部材と前記外側プラグ接点部材とが接触し、前記内側レセプタクル接点部材と前記内側プラグ接点部材とが接触することを特徴とするものである。
【００１５】
本発明のコネクタは、レセプタクル本体部とプラグ本体部において接点部材の列が複数列設けられている。そのため、レセプタクル本体部とプラグ本体部の対向領域の全域を効率よく使用することができる。接点部材の数を多くしたときにレセプタクル本体部とプラグ本体部が過剰に細長くなるのを防止しやすくなり、反りを少なくでき、それぞれの接点部材どうしを均一な力で加圧して嵌合させやすくなる。また、配線基板上で占めるコネクタの占有領域が細長くならず、配線基板上のスペースを有効に利用できる。
【００１６】
本発明は、前記外側レセプタクル接点部材と前記内側レセプタクル接点部材は、それぞれＹ方向に間隔を空けて対向する弾性変形可能な一対の接触部を有し、前記外側プラグ接点部材と前記内側プラグ接点部材は、それぞれ前記レセプタクル本体部に向けて突状に形成された接触部を有しており、
前記レセプタクル本体部と前記プラグ本体部とが結合されたときに、突状に形成された前記接触部が一対の前記接触部に挟まれて、前記外側レセプタクル接点部材と前記外側プラグ接点部材とが導通し、前記内側レセプタクル接点部材と前記内側プラグ接点部材とが導通することが好ましい。
【００１７】
上記構成のコネクタは、レセプタク接点部材の接触部とプラグ接点部材の接触部との接触状態を安定させやすくなる。
【００１８】
本発明は、前記プラグ本体部には、Ｙ方向に離れたそれぞれの位置に、Ｘ方向に延びるとともに前記レセプタクル本体部に向けて突出する外側介入部と、前記外側介入部と前記外側介入部とで挟まれた内側領域においてＸ方向に延びるとともに前記レセプタクル本体部に向けて突出する内側介入部とが一体に形成されており、
複数の前記外側プラグ接点部材が、Ｘ方向に間隔を空けて前記外側介入部に埋設されて、前記外側プラグ接点部材の前記接触部が、前記外側介入部のＹ方向に向く両側面に現れ、複数の前記内側プラグ接点部材が、Ｘ方向に間隔を空けて前記内側介入部に埋設され、前記内側プラグ接点部材の前記接触部が、前記内側介入部のＹ方向に向く両側面に現れており、
前記レセプタクル本体部と前記プラグ本体部とが結合されたときに、前記外側介入部が前記外側レセプタクル接点部材の一対の前記接触部の間に介入して、前記外側プラグ接点部材の前記接触部が前記外側レセプタクル接点部材の一対の前記接触部に挟まれ、前記内側介入部が前記内側レセプタクル接点部材の一対の前記接触部の間に介入して、前記内側プラグ接点部材の前記接触部が前記内側レセプタクル接点部材の一対の前記接触部に挟まれることが好ましい。
【００１９】
プラグ本体部に外側介入部と内側介入部とを複数列に一体に突出形成し、この外側介入部と内側介入部を、レセプタクル接点部材の接触部の間に挟むことで、プラグ本体部の全体をレセプタクル本体部に確実に保持させることができる。
【００２０】
本発明は、前記外側プラグ接点部材の前記接触部が前記外側介入部に変形できないように固定され、前記内側プラグ接点部材の前記接触部が前記内側介入部に変形できないように固定されており、
前記外側介入部が前記外側レセプタクル接点部材の一対の前記接触部の間に介入したときに、前記外側プラグ接点部材の前記接触部が変形せず、前記外側レセプタクル接点部材の一対の前記接触部が弾性変形し、前記内側介入部が前記内側レセプタクル接点部材の一対の前記接触部の間に介入したときに、前記内側プラグ接点部材の前記接触部が変形せず、前記内側レセプタクル接点部材の一対の前記接触部が弾性変形するものである。
【００２１】
上記のようにプラグ接点部材の接触部が変形しないように保持され、レセプタクル接点部材の接触部のみが弾性変形することで、レセプタクル接点部材の対を成す接触部によってプラグ接点部材の接触部を適正な弾性力で確実に保持できるようになる。
【００２２】
また、本発明は、前記外側介入部の前記両側面と、前記外側プラグ接点部材の前記接触部の外面が同一面であり、前記内側介入部の前記両側面と、前記内側プラグ接点部材の前記接触部の外面が同一面であることが好ましい。
【００２３】
介入部の側面と接触部の外面とを同一面にしておくと、介入部をレセプタクル接点部材の接触部の間に挟んだときに、レセプタクル接点部材の接触部とプラグ接点部材の接触部との引っ掛かりが生じなくなり、レセプタクルとプラグとの結合作業を確実にできる。また、結合後に、レセプタクル側とプラグ側の接触部の接触状態も確実にしやすい。
【００２４】
本発明は、前記レセプタクル本体部には、Ｙ方向に離れたそれぞれの位置に、Ｘ方向に延びる外側連結開口部と、前記外側連結開口部と前記外側連結開口部とで挟まれた内側領域においてＸ方向に延びる内側連結開口部が形成されており、
複数の前記外側レセプタクル接点部材が、前記外側連結開口部内でＸ方向に間隔を空けて配置されているとともに、それぞれの前記外側レセプタクル接点部材に設けられた一対の前記接触部が前記外側連結開口部を挟んで対向し、複数の前記内側レセプタクル接点部材が、前記内側連結開口部内でＸ方向に間隔を空けて配置されているとともに、それぞれの前記内側レセプタクル接点部材の一対の前記接触部が前記内側連結開口部を挟んで対向しており、
前記外側プラグ接点部材の前記接触部が、前記外側連結開口部に入り込んで前記外側レセプタクル接点部材の一対の前記接触部に挟まれ、前記内側プラグ接点部材の前記接触部が、前記内側連結開口部に入り込んで前記内側レセプタクル接点部材の一対の前記接触部に挟まれることが好ましい。
【００２５】
プラグ本体部に設けられたプラグ接点部材を連結開口部に介入させ、または介入部とプラグ接点部材とを、レセプタクル本体部に形成した連結開口部に介入させることで、レセプタクル本体部とプラグ本体部との嵌合状態を安定させることができ、その結果、レセプタクル接点部材とプラグ接点部材の導通状態を安定させることができる。
【００２６】
本発明は、前記レセプタクル本体部には、前記外側レセプタクル接点部材とＸ方向に並ぶ位置に、金属板で形成されたレセプタクル側の掛止接触部が設けられ、前記プラグ本体部には、前記外側プラグ接点部材とＸ方向に並ぶ位置に、金属板で形成されたプラグ側の掛止接触部が設けられ、
前記レセプタクル本体部と前記プラグ本体部とが結合されるときに、レセプタクル側の前記掛止接触部とプラグ側の前記掛止接触部とが掛止されるものである。
【００２７】
この場合に、レセプタクル側の前記掛止接触部とプラグ側の前記掛止接触部の少なくとも一方には、他方を掛止するための爪部が一体に形成されていることが好ましく、さらに、レセプタクル側の前記掛止接触部は、Ｙ方向に離れた位置でＸ方向に並ぶ前記外側レセプタクル接点部材のそれぞれの列の中に２箇所ずつ合計で４箇所に設けられ、プラグ側の前記掛止接触部はレセプタクル側の前記掛止接触部のそれぞれに対応する４箇所に設けられていることが好ましい。
【００２８】
レセプタクル側の掛止接触部とプラグ側の掛止接触部とを掛止させることで、レセプタクル本体部とプラグ本体部の嵌合状態を安定させることができる。
【００２９】
本発明は、それぞれの前記外側レセプタクル接点部材は、Ｘ方向に間隔を空けて前記接触部と端子部とが一体に形成され、前記端子部がＹ方向に延びて前記レセプタクル本体部の外側へ突出しており、
それぞれの前記内側レセプタクル接点部材は、Ｘ方向に間隔を空けて前記接触部と端子部とが一体に形成されており、
前記内側レセプタクル接点部材の前記端子部は、Ｙ方向に延び前記外側レセプタクル接点部材の前記接触部の下側を通過して前記レセプタクル本体部の外側に突出しているのとして構成できる。
【００３０】
上記の構成では、外側レセプタクル接点部材の端子部と、内側レセプタクル接点部材の端子部とを、レセプタクル本体部の側方に重なることなく、並べて配置できる。レセプタクル本体部の側方から並んで突出する端子部を配線基板の通電部に半田付けすることで、複数列に配列したレセプタクル接点部材を外部回路に導通させやすくなる。
【発明の効果】
【００３１】
本発明は、レセプタクル本体部とプラグ本体部に多数の接点部材をスペース効率よく配置できる。接点部材の数を増やしても、レセプタクル本体部とプラグ本体部とが過剰に細長くなるのを防止でき、反りによる接触不良が生じにくくなり、レセプタクル本体部をプラグ本体部とを均一に加圧して、それぞれの接点部材の嵌合を安定させやすくなる。
【図面の簡単な説明】
【００３２】
【図１】本発明の実施の形態のレセプタクル側のコネクタとプラグ側のコネクタとを上下に離して示す斜視図、
【図２】レセプタクル側のコネクタの分解斜視図、
【図３】レセプタクル本体部とレセプタクル接点部材との組み立て状態を拡大して示す分解斜視図、
【図４】レセプタクル本体部を示す平面図、
【図５】（Ａ）は、レセプタクル接点部材を保持した外側接点支持体と内側接点支持体を示す拡大平面図、（Ｂ）は、外側接点支持体に固定されるレセプタクル接点部材と内側接点支持体に固定されるレセプタクル接点部材の平面図、
【図６】外側接点支持体とレセプタクル接点部材を示す側面図、
【図７】プラグ接点部材を示す斜視図、
【図８】プラグ側のコネクタを上下逆向きにして、一部のレセプタクル接点部材と共に示す斜視図、
【図９】外側接点支持体に固定されたレセプタクル接点部材および内側接点支持体に固定されたレセプタクル接点部材と、プラグ接点部材との嵌着状態を示す側面図、
【発明を実施するための形態】
【００３３】
図１に示すように、コネクタは、レセプタクル側のコネクタ１と、プラグ側のコネクタ２とを有している。例えば、レセプタクル側のコネクタ１が硬質基板の表面に実装され、プラグ側のコネクタ２がフレキシブル配線基板に実装されて、プラグ側コネクタ２がレセプタクル側のコネクタ１に結合されることで、フレキシブル配線基板の通電部と硬質基板の通電部とが個別に導通される。
【００３４】
レセプタクル側のコネクタ１は、合成樹脂製のレセプタクル本体部１０を有している。レセプタクル本体部１０は、Ｚ１側（上側）がプラグ側のコネクタ２が結合される連結側であり、Ｚ２側（下側）が基板に対向する固定側である。また、Ｘ１側が前方でＸ２側が後方、Ｙ１側が右側でＹ２側が左側である。
【００３５】
（レセプタクル側のコネクタの構造）
図１、図２、図４などに示すように、レセプタクル本体部１０は、Ｚ１−Ｚ２方向の厚さ寸法よりも、Ｘ１−Ｘ２方向である前後方向の長さ寸法およびＹ１−Ｙ２方向である左右方向の長さ寸法の方が長い薄い長方形状である。図１に示すように、プラグ側のコネクタ２のプラグ本体部５０も同様に薄い長方形状であり、レセプタクル本体部１０とプラグ本体部５０とが、面対向して結合される。
【００３６】
図２と図４に示すように、レセプタクル本体部１０は、Ｙ１側に向く前方壁部１１およびＹ２側に向く後方壁部１２と、Ｙ１側に向く右側方壁部１３およびＹ２側に向く左側方壁部１４を有している。右側方壁部１３よりも内側（Ｙ２側）には、右側リブ１５が形成されている。右側リブ１５は前後方向（Ｘ１−Ｘ２方向）に延びており、Ｚ２側の底部で前方壁部１１および後方壁部１２と一体に連続している。ただし、Ｚ１側では、右側リブ１５の前後端部と、前方壁部１１および後方壁部１２との間に隙間が形成されている。
【００３７】
左側方壁部１４よりも内側（Ｙ１側）には、左側リブ１６が設けられ、右側リブ１５と左側リブ１６との間に、中央リブ１７が設けられている。左側リブ１６と中央リブ１７は前後方向（Ｘ１−Ｘ２方向）に延びており、Ｚ２側の底部で前方壁部１１および後方壁部１２に一体に連続している。ただし、左側リブ１６の前後端部および中央リブ１７の前後端部と、前方壁部１１および後方壁部１２との間に隙間が形成されている。
【００３８】
図２に示すように、右側方壁部１３と左側方壁部１４および右側リブ１５と左側リブ１６ならびに中央リブ１７は、全て連結側（Ｚ１側）に向く上面が同一面である。また、前後方向（Ｘ１−Ｘ２方向）の中間部分で、右側リブ１５から中央リブ１７を経て左側リブ１６に延びる連結平面２３が形成されている。この連結平面２３は、右側リブ１５と中央リブ１７および左側リブ１６の上面と同一面である。この連結平面２３は、コネクタ１を配線基板に実装するときに、コネクタ１を吸着して持ち上げるための持ち上げ面として使用される。
【００３９】
図２に示すように、前方壁部１１と後方壁部１２は、右側方壁部１３、左側方壁部１４、右側リブ１５、左側リブ１６ならびに中央リブ１７のそれぞれの上面よりもさらに連結側（Ｚ１側）に突出している。前方壁部１１の左右方向（Ｙ１−Ｙ２方向）の中央部にＺ２方向へ窪む位置決め凹部１１ａが形成され、後方壁部１２の左右方向（Ｙ１−Ｙ２方向）の中央部にもＺ２方向へ窪む位置決め凹部１２ａが形成されている。位置決め凹部１１ａと位置決め凹部１２ａのＺ２側の底面は、右側方壁部１３、左側方壁部１４、右側リブ１５、左側リブ１６ならびに中央リブ１７のそれぞれの上面と同一面である。
【００４０】
前方壁部１１には、前記位置決め凹部１１ａの左右両側に、Ｘ２方向に向く前方位置決め面１１ｂが形成されている。また、前方壁部１１のＹ１側の端部にはＹ２側に向く右側位置決め面１１ｃが形成され、Ｙ２側の端部にはＹ１側に向く左側位置決め面１１ｄが形成されている。後方壁部１２には、位置決め凹部１２ａの左右両側においてＸ１側に向く後方位置決め面１２ｂが形成されている。また、後方壁部１２のＹ１側の端部にはＹ２側に向く右側位置決め面１２ｃが形成され、Ｙ２側の端部にはＹ１側に向く左側位置決め面１２ｄが形成されている。
【００４１】
前記前方位置決め面１１ｂおよび右側位置決め面１１ｃと左側位置決め面１１ｄ、ならびに後方位置決め面１２ｂおよび右側位置決め面１２ｃと左側位置決め面１２ｄは、右側方壁部１３、左側方壁部１４、右側リブ１５、左側リブ１６ならびに中央リブ１７のそれぞれの上面よりも連結側（Ｚ１側）へ突出している。
【００４２】
前方壁部１１と後方壁部１２および右側方壁部１３と左側方壁部１４は、固定側（Ｚ２側）に向く下面が同一面である。また、右側リブ１５と左側リブ１６および中央リブ１７の固定側（Ｚ２側）に向く下面は、前方壁部１１、後方壁部１２、右側方壁部１３ならびに左側方壁部１４のそれぞれの下面と同一面であるか、または、前方壁部１１、後方壁部１２、右側方壁部１３ならびに左側方壁部１４のそれぞれの下面よりもＺ１側に位置している。
【００４３】
前方壁部１１のＸ１側に向く外面には、Ｙ１側に右側掛止凹部１１ｅがＹ２側に左側掛止凹部１１ｆが形成されている。後方壁部１２のＸ２側に向く外面には、Ｙ１側に右側掛止凹部１２ｅが、Ｙ２側に左側掛止凹部１２ｆが形成されている。
【００４４】
図２と図４に示すように、レセプタクル本体部の連結側（Ｚ１側）では、右側方壁部１３と右側リブ１５との間に、右外側連結開口部１８が前後方向（Ｘ１−Ｘ２方向）に向けて細長く開口している。左側方壁部１４と左側リブ１６との間に、左外側連結開口部１９が前後方向（Ｘ１−Ｘ２方向）に向けて細長く開口している。右側リブ１５と中央リブ１７との間には、連結平面２３よりも前方（Ｘ１側）に、前方の右内側連結開口部２１ａが形成され、連結平面２３よりも後方（Ｘ２側）に、後方の右内側連結開口部２１ｂが形成されている。左側リブ１６と中央リブ１７との間には、連結平面２３よりも前方（Ｘ１側）に、前方の左内側連結開口部２２ａが形成され、連結平面２３よりも後方（Ｘ２側）に、後方の右内側連結開口部２２ｂが形成されている。
【００４５】
図９において破線で概略的に示しているように、レセプタクル本体部１０の固定側（Ｚ２側）では、前記右外側連結開口部１８に上下に連通する右外側保持開口部１８ａが開口し、前記左外側連結開口部１９に上下に連通する左外側保持開口部１９ａが開口している。また、固定側（Ｚ２側）では、前方の右内側連結開口部２１ａと後方の右内側連結開口部２１ｂの双方に連通する右内側保持開口部２１ｃが開口している。同様に、固定側には、前方の左内側連結開口部２１ａと後方の左内側連結開口部２２ｂの双方に連通する左内側保持開口部２２ｃが開口している。
【００４６】
図２と図４に示すように、右側方壁部１３と右側リブ１５のそれぞれの対向面には、右外側連結開口部１８を挟んで対向する接触溝２５が形成されている。接触溝２５は、前後方向（Ｘ１−Ｘ２方向）に一定のピッチで７箇所に形成されている。左側方壁部１４と左側リブ１６のそれぞれの対向面には、左外側連結開口部１９を挟んで対向する接触溝２６が形成されている。接触溝２６は、前後方向（Ｘ１−Ｘ２方向）に一定のピッチで７箇所に形成されている。
【００４７】
右側リブ１５と中央リブ１７のそれぞれの対向面には、前方の右内側連結開口部２１ａを挟んで対向する接触溝２７ａと、後方の右内側連結開口部２１ｂを挟んで対向する接触溝２７ｂが形成されている。接触溝２７ａは、前後方向（Ｘ１−Ｘ２方向）に一定のピッチで４箇所に形成され、接触溝２７ｂは、前後方向（Ｘ１−Ｘ２方向）に一定のピッチで３箇所に形成されている。左側リブ１６と中央リブ１７のそれぞれの対向面には、前方の左内側連結開口部２２ａを挟んで対向する接触溝２８ａと、後方の左内側連結開口部２２ｂを挟んで対向する接触溝２８ｂが形成されている。接触溝２８ａは、前後方向（Ｘ１−Ｘ２方向）に一定のピッチで３箇所に形成され、接触溝２８ｂは、前後方向（Ｘ１−Ｘ２方向）に一定のピッチで４箇所に形成されている。
【００４８】
前記接触溝２５，２６，２７ａ，２７ｂ，２８ａ，２８ｂのＸ１−Ｘ２方向の配置ピッチは全て同じである。また、前記接触溝２５，２６，２７ａ，２７ｂ，２８ａ，２８ｂは、レセプタクル本体部１０を上下（Ｚ１−Ｚ２方向）に貫通して形成されている。
【００４９】
図４に示すように、右外側連結開口部１８を挟んで形成されている接触溝２５と、前方の左内側連結開口部２２ａを挟んで形成されている接触溝２８ａは、左右方向（Ｙ１−Ｙ２）に延びる同じ溝中心線Ｌ１上に形成されている。右外側連結開口部１８を挟んで形成されている接触溝２５と、後方の左内側連結開口部２２ｂを挟んで形成されている接触溝２８ｂは、左右方向（Ｙ１−Ｙ２）に延びる同じ溝中心線Ｌ２上に形成されている。左外側連結開口部１９を挟んで形成されている接触溝２６と、前方の右内側連結開口部２１ａを挟んで形成されている接触溝２７ａは、左右方向（Ｙ１−Ｙ２）に延びる溝中心線Ｌ３上に形成され、前記接触溝２６と、後方の右内側連結開口部２１ｂを挟んで形成されている接触溝２７ｂは、左右方向（Ｙ１−Ｙ２）に延びる溝中心線Ｌ４上に形成されている。
【００５０】
前記溝中心線Ｌ１と溝中心線Ｌ３は、前後方向（Ｘ１−Ｘ２方向）に位置ずれしており、溝中心線Ｌ１と溝中心線Ｌ３の前後方向のピッチは、それぞれの接触溝の前後方向の配列ピッチの１／２に相当している。すなわち、Ｙ１−Ｙ２方向において隣り合う接触溝２５と接触溝２７ａは、前後方向（Ｘ１−Ｘ２方向）に、接触溝配列ピッチの１／２の寸法だけずれて形成されている。またＹ１−Ｙ２方向で隣り合う接触溝２８ａと接触溝２６も、前後方向（Ｘ１−Ｘ２方向）に、接触溝配列ピッチの１／２の寸法だけずれて形成されている。
【００５１】
同様に、前記溝中心線Ｌ２と溝中心線Ｌ４も、前後方向（Ｘ１−Ｘ２方向）に、前記配列ピッチの１／２だけずれている。隣り合う接触溝２５と接触溝２７ｂ、接触溝２７ｂと接触溝２８ｂ、接触溝２８ｂと接触溝２６は、前後方向に、接触溝の配列ピッチの１／２の寸法だけずれて形成されている。
【００５２】
図４に示すように、右側リブ１５では、右外側連結開口部１８に向く接触溝２５と、前方の右内側連結開口部２１ａに向く接触溝２７ａとが、Ｙ２方向およびＹ１方向へ互い違いに入り込むように形成されており、接触溝２５と接触溝２７ａは、左右方向（Ｙ１−Ｙ２方向）の寸法Ｗの範囲で重なっている。同様に、右側リブ１５では、右外側連結開口部１８に向く接触溝２５と後方の右内側連結開口部２１ｂに向く接触溝２７ｂとが寸法Ｗの範囲で重なっている。
【００５３】
左側リブ１６では、接触溝２６と接触溝２８ａが左右方向に寸法Ｗの範囲で重なっており、接触溝２６と接触溝２８ｂも寸法Ｗの範囲で重なっている。また、中央リブ１７においても、接触溝２７ａと接触溝２８ａがＹ２方向とＹ１方向へ互い違いに入り込むように形成されており、接触溝２７ａと接触溝２８ａのＹ１−Ｙ２方向での重なり寸法はＷである。同様に、中央リブ１７では、接触溝２７ｂと接触溝２８ｂが、寸法Ｗで重なるように互い違いに形成されている。
【００５４】
図４に示すように、右側方壁部１３の前方（Ｘ１側）には、右外側連結開口部１８に向く掛止溝２９ａが形成され、右側方壁部１３の後方には、右外側連結開口部１８に向く掛止溝２９ｂが形成されている。掛止溝２９ａと掛止溝２９ｂの前後方向（Ｘ１−Ｘ２方向）の開き幅寸法は、前記接触溝２５の前後方向の開き幅寸法よりも大きい。
【００５５】
左側方壁部１４の前方（Ｘ１側）には、左外側連結開口部１９に向く掛止溝２９ｃが形成され、後方にも掛止溝２９ｄが形成されている。掛止溝２９ｃと掛止溝２９ｄの前後方向（Ｘ１−Ｘ２方向）の開き幅寸法は、接触溝２６の前後方向の開き幅寸法よりも広い。
【００５６】
図２に示し図４において破線で示すように、レセプタクル本体部１０の右側方壁部１３の固定側（Ｚ２側）に向く下面には、端子位置決め凹部１３ａが形成されている。この端子位置決め凹部１３ａは、前記溝中心線Ｌ３，Ｌ４上に形成されている。すなわち、端子位置決め凹部１３ａは、前記接触溝２７ａおよび接触溝２７ｂと、左右方向（Ｙ１−Ｙ２方向）において同じ中心線上に形成されている。
【００５７】
図４において破線で示すように、レセプタクル本体部１０の左側方壁部１４の固定側（Ｚ２側）に向く下面にも、端子位置決め凹部１４ａが形成されている。この端子位置決め凹部１４ａは、前記溝中心線Ｌ１，Ｌ２上に形成されている。すなわち、端子位置決め凹部１４ａは、前記接触溝２８ａおよび接触溝２８ｂと、左右方向（Ｙ１−Ｙ２方向）において同じ中心線上に形成されている。
【００５８】
図２に示すように、レセプタクル本体部１０に一対の外側接点ユニット３０が保持される。一対の外側接点ユニット３０は、互いに左右方向（Ｙ１−Ｙ２方向）に向けて対面するように対称に配置されている。すなわち、一方の外側接点ユニット３０が、他方の外側接点ユニット３０に対して１８０度回転した姿勢で配置されている。
【００５９】
図９に示すように、一方の外側接点ユニット３０は、レセプタクル本体部１０の下面側から、右外側保持開口部１８ａへ向けて装着され、他方の外側接点ユニット３０は、レセプタクル本体部１０の下面側から、左外側保持開口部１９ａに向けて装着される。
【００６０】
以下では、右外側保持開口部１８ａに装着される一方の外側接点ユニット３０を基準として、それぞれの外側接点ユニット３０の構造を説明する。図６は、右外側保持開口部１８ａに装着される一方の外側接点ユニット３０の右側面を示している。
【００６１】
外側接点ユニット３０は、外側接点支持体３１を有している。外側接点支持体３１は左右方向（Ｙ１−Ｙ２方向）の幅寸法よりも前後方向（Ｘ１−Ｘ２方向）の長さ寸法が長い長尺形状である。
【００６２】
外側接点ユニット３０では、外側接点支持体３１に７個の外側レセプタクル接点部材３２と、２つの金属板３３，３４が固定されている。外側接点ユニット３０は、いわゆるインサート成型によって形成されている。このインサート成型は、外側レセプタクル接点部材３２と金属板３３，３４が金型のキャビティ内に位置決めされ、前記キャビティ内に溶融樹脂が射出されて、硬化した樹脂で外側接点支持体３１が形成される。その結果、外側レセプタクル接点部材３２の一部と金属板３３，３４の一部が、外側接点支持体３１の内部に埋設されて固定される。
【００６３】
外側レセプタクル接点部材３２と金属板３４，３５は、同じ金属板で形成されている。これらは、例えば、リン青銅板などのばね性に富む金属板の表面に、ニッケル下地メッキと、その表面の金メッキとが施されたものである。
【００６４】
図５（Ａ）には外側接点ユニット３０の平面図が示され、図５（Ｂ）には外側レセプタクル接点部材３２と金属板３４の平面図が示されている。
【００６５】
図５（Ａ）（Ｂ）に示すように、外側レセプタクル接点部材３２は、第１の埋設板部３２ａと第２の埋設板部３２ｂ、および第１の埋設板部３２ａと第２の埋設板部３２ｂとを連結する連結板部３２ｃとが一体に形成されている。前記第１の埋設板部３２ａと第２の埋設板部３２ｂおよび連結板部３２ｃが、外側接点支持体３１の内部に埋設されている。
【００６６】
第１の埋設板部３２ａにはＹ１方向とＹ２方向に延びる接触部３２ｄ，３２ｄが一体に形成されている。図２および図５（Ａ）に示すように、一方の接触部３２ｄは、外側接点支持体３１の右側面３１ａから外部に突出し、他方の接触部３２ｄは、外側接点支持体３１の左側面３１ｂから外部に突出している。それぞれの接触部３２ｄは外側接点支持体３１の上方に向けて曲げられ、さら折り返されている。第１の埋設板部３２ａから左右方向に延びる一対の接触部３２ｄは、外側接点支持体３１の上方において、左右方向（Ｙ１−Ｙ２方向）に間隔を空けて対向している。
【００６７】
第２の埋設板部３２ｂにはＹ１方向へ直線的に延びる端子部３２ｅが一体に形成されている。図２および図５（Ａ）に示すように、端子部３２ｅは、外側接点支持体３１の右側面３１ａからＹ１方向へ突出している。
【００６８】
同じ外側レセプタクル接点部材３２に形成されている接触部３２ｄと端子部３２ｅは、前後方向（Ｘ１−Ｘ２方向）に間隔を空けて配置されているが、その配列ピッチは、図４に示した前記溝中心線Ｌ１と溝中心線Ｌ３の前後方向のピッチ、および溝中心線Ｌ２と溝中心線Ｌ３の前後方向の配列ピッチに等しい。
【００６９】
図２に示すように、外側接点ユニット３０の前方（Ｘ１側）に設けられた金属板３３は、その一部が外側接点支持体３１に埋設されている。金属板３３の一部は、外側接点支持体３１の外で上向きに曲げられ且つ折り返されて、掛止接触部３３ａが形成されている。金属板３３の一部は、外側接点支持体３１のＸ１側に向く前端からＸ１方向へ突出し、上方（Ｚ１方向）へほぼ直角に折り曲げられて掛止片３３ｂとなっている。また、金属板３３の一部は、外側接点支持体３１の左側面３１ａから、Ｙ１方向へ突出して固定端子部３３ｃとなっている。
【００７０】
外側接点ユニット３０の後方（Ｘ２側）に設けられた金属板３４は、前記金属板３３と前後方向（Ｘ１−Ｘ２方向）に対面する対称形状である。金属板３４には、前記掛止接触部３３ａと同様に上方に延びる掛止接触部３４ａと、前記掛止片３３ｂと対面する掛止片３４ｂと、前記固定端子部３３ｃと同じＹ１方向に延びる固定端子部３３ｃが形成されている。
【００７１】
外側接点ユニット３０から延びる前記固定端子部３３ｃ，３４ｃの線端部は、前記外側レセプタクル接点部材３２の端子部３２ｅの先端部と共に、Ｚ２方向へ折り曲げられて、それぞれの先端部の下面がレセプタクル本体部１０の下面とほぼ同一面に位置している。
【００７２】
図２に示すように、レセプタクル本体部１０に一対の内側接点ユニット４０が保持される。一対の内側接点ユニット４０は、一対の前記外側接点ユニット３０よりも内側に配置されている。一対の内側接点ユニット４０は、互いに左右方向（Ｙ１−Ｙ２方向）に向けて対面するように対称に配置されている。すなわち、一方の内側接点ユニット４０は、他方の内側接点ユニット４０に対して１８０度回転した姿勢で配置されている。
【００７３】
図９に示すように、一方の内側接点ユニット４０は、レセプタクル本体部１０の下面側から、右内側保持開口部２１ｃに向けて装着され、他方の内側接点ユニット４０は、下側から左内側保持開口部２２ｃに向けて装着される。
【００７４】
以下では、右内側保持開口部２１ｃに装着される一方の内側接点ユニット４０を基準として、それぞれの内側接点ユニット４０の構造を説明する。
【００７５】
図２に示すように、内側接点ユニット４０は、内側接点支持体４１と７個の内側レセプタクル接点部材４２を有している。内側接点支持体４１は合成樹脂材料で形成されている。前記外側接点ユニット３０と同様に、内側接点支持体４１と内側レセプタクル接点部材４２は、いわゆるインサート成形工程で形成されており、それぞれの内側レセプタクル接点部材４２の一部が内側接点支持体４１の内部に埋設されて固定されている。内側レセプタクル接点部材４２は、前記外側レセプタクル接点部材３２と同様に、リン青銅板などのばね材にニッケルメッキと金メッキとが施された金属板で形成されている。
【００７６】
図２に示すように、内側接点支持体４１には前後方向（Ｘ１−Ｘ２方向）の中央部にＺ１方向へ突出する位置決め突起４１ａが一体に形成され、前後方向の両端部にもＺ１方向へ突出する位置決め突起４１ｂ，４１ｂが一体に形成されている。レセプタクル本体部１０には、連結平面２３が形成されている部分で固定側（Ｚ２側）から上方に向けて窪む凹部が形成されている。内側接点ユニット４０が、右内側保持開口部２１ｃと左内側保持開口部２２ｃに装着されるときに、位置決め突起４１ａが前記凹部に挿入される。また、図１に示すように、位置決め突部４１ｂが、右側リブ１５と中央リブ１７との間、および左側リブ１６と中央リブ１７との間に挿入されて、内側接点ユニット４０がレセプタクル本体部１０に位置決めされて保持される。
【００７７】
図５（Ａ）（Ｂ）に示すように、内側レセプタクル接点部材４２は、第１の埋設板部４２ａと第２の埋設板部４２ｂおよび前記第１の埋設板部４２ａと第２の埋設板部４２ｂとを連結する連結板部４２ｃとが一体に形成されている。前記埋設板部４２ａ，４２ｂと連結板部４２ｃは内側接点支持体４１の内部に埋設されて固定されている。
【００７８】
第１の埋設板部４２ａにはＹ１方向とＹ２方向に延びる一対の接触部４２ｄが一体に形成されている。一方の接触部４２ｄは内側接点支持体４１の右側面４１ｃからＹ１方向へ突出し、他方の接触部４２ｄは内側接点支持体４１の左側面４１ｄからＹ２方向へ突出している。そして、一対の接触部４２ｄは、内側接点支持体４１の上方へ曲げられ、さらに折り返されている。その結果、一対の接触部４２ｄは、内側接点支持体４１の上方において、左右方向（Ｙ１−Ｙ２方向）に間隔を空けて対向している。
【００７９】
内側レセプタクル接点部材４２の第２の埋設板部４２ｂにはＹ１方向に延びる端子部４２ｅが一体に形成されている。同じ内側レセプタクル接点部材４２に形成されている接触部４２ｄと端子部４２ｅは前後方向（Ｘ１−Ｘ２方向）に間隔を空けて配置されている。接触部４２ｄと端子部４２ｅの前後方向の配置ピッチは、図４に示す前記溝中心線Ｌ１と溝中心線Ｌ３との前後方向のピッチ、および溝中心線Ｌ２と溝中心線Ｌ４の前後方向のピッチに一致している。
【００８０】
（レセプタクル側のコネクタの組み立て）
レセプタクル側のコネクタ１の組み立て方法は以下の通りである。
最初に、一対の外側接点ユニット３０が、レセプタクル本体部１０の下面側から、右外側保持開口部１８ａ（図９参照）および左外側保持開口部１９ａ（図９参照）に向けてＺ１方向へ装着される。外側接点ユニット３０は、右外側保持開口部１８ａと左外側保持開口部１９ａの内部で、Ｘ−Ｙ−Ｚの各方向へほとんど動くことなくレセプタクル本体部１０に保持される。
【００８１】
また、図１に示すように、外側接点ユニット３０の金属板３３，３４と一体の掛止片３３ｂ，３４ｂが折り曲げられて、レセプタクル本体部１０の前方壁部１１の外面の右側掛止凹部１１ｅと左側掛止凹部１１ｆに掛止され、また後方壁部１２の外面の右側掛止凹部１２ｅと左側掛止凹部１２ｆに掛止される。これにより、一対の外側接点ユニット３０がレセプタクル本体部１０に動くことなく固定され、特に、外側接点ユニット３０とレセプタクル本体部１０とが上下方向（Ｚ１−Ｚ２方向）へ分離することなく固定される。この実施の形態では、金属板３３，３４の掛止片３３ｂ，３４ｂおよび、右側掛止凹部１１ｅと左側掛止凹部１１ｆならびに右側掛止凹部１２ｅと左側掛止凹部１２ｆとで固定機構が構成されている。
【００８２】
外側接点ユニット３０がレセプタクル本体部１０に装着されると、図３において（ｉ）で示すように、外側接点支持体３１から上方に延びる接触部３２ｄが、右外側連結開口部１８の両側に形成された接触溝２５内に挿入される。また、図３において（ｉｉ）で示すように、外側接点ユニット３０から延びる端子部３２ｅは、レセプタクル本体部１０の右側方壁部１３の下面に形成された端子位置決め凹部１３ａ内に挿入される。端子部３２ｅが、端子位置決め凹部１３ａの上内底面に当たることで、端子部３２ｅが主に上下方向（Ｚ１−Ｚ２方向）に位置決めされる。また、端子部３２ｅは、端子位置決め凹部１３ａ内において、前後方向（Ｘ１−Ｘ２方向）に完全に拘束され、または前後方向に少し隙間を開けて保持される。
【００８３】
なお、Ｙ２側に配置される他方の外側接点ユニット３０が、左外側保持開口部１９ａ内に装着されるときの組み立て状態は、図３とＹ１−Ｙ２方向において対称である。すなわち、外側接点ユニット３０から上方に延びる接触部３２ｄが、左外側連結開口部１９の両側に形成された接触溝２６内に配置される。また、外側接点ユニット３０からＹ２方向へ延びる端子部３２ｅが、レセプタクル本体部１０の左側方壁部１４の下面に形成された端子位置決め凹部１４ａ内に位置決めされて保持される。
【００８４】
図１に示すように、一対の外側接点ユニット３０がレセプタクル本体部１０に装着されると、外側接点支持体３１から上方に延びる４個の掛止接触部３３ａ，３３ａ，３４ａ，３４ａが、レセプタクル本体部１０の右外側連結開口部１８と左外側連結開口部１９に形成された４箇所の掛止溝２９ａ，２９ｂ，２９ｃ，２９ｄ内に配置される。
【００８５】
一対の外側接点ユニット３０がレセプタクル本体部１０に装着された後に、一対の内側接点ユニット４０が、レセプタクル本体部１０の下方から、右内側保持開口部２１ｃ（図９参照）と左内側保持開口部２２ｃ（図９参照）に装着される。内側接点ユニット４０の内側接点支持体４１に設けられた位置決め突起４１ａ，４２ｂが、レセプタクル本体部１０に嵌合することで、内側接点支持体４１は、右内側保持開口部２１ｃと左内側保持開口部２２ｃ内で動くことなく位置決めされて保持される。
【００８６】
内側接点支持体４１が右内側保持開口部２１ｃに下から装着されると、図３において（ｉｉｉ）で示すように、内側接点支持体４１から上方に延びる接触部４２ｄが、後方の右内側連結開口部２１ｂの両側に位置する接触溝２７ｂの内部に挿入され、さらに前方の右内側連結開口部２１ａの両側に位置する接触溝２７ａ内に挿入される。
【００８７】
図６に示すように、外側接点支持体３１の下面には複数の位置決め凹部３１ｃが形成されている。この位置決め凹部３１ｃは、図４に示す溝中心線Ｌ１，Ｌ２と一致する位置に形成されている。内側接点支持体４１からＹ１方向に延びる端子部４２ｅは、外側接点支持体３１の前記位置決め凹部３１ｃの内部を通過し、さらに、図３において（ｉｖ）で示すように、レセプタクル本体部１０の右側方壁部１３の下面１３ｂの下を通過してＹ１方向に延びている。
【００８８】
図６に示すように、内側接点ユニット４０からＹ１方向に延びる端子部４２ｅは、外側接点支持体３１の下面の位置決め凹部３１ｃ内を通過することで上下方向（Ｚ１−Ｚ２方向）に位置決めされる。また、端子部４２ｅは、位置決め凹部３１ｃによって前後方向（Ｘ１−Ｘ２方向）に拘束され、または前後方向に少し余裕を有して保持される。
【００８９】
外側接点ユニット３０から延びる端子部３２ｅが、右側方壁部１３の下面の端子位置決め凹部１３ａで位置決めされ、内側接点ユニット４０から延びる端子部４２ｅが、外側接点支持部４１の下面の位置決め凹部３１ｃ内で位置決めされることにより、図１に示すように、右側方壁部１３からＹ１方向へ突出する複数の端子部３２ｅと複数の端子部４２ｅの下面をほぼ同一面に揃えることができ、また端子部３２ｅと端子部４２ｅの前後方向（Ｘ１−Ｘ２方向）の配列ピッチも揃えることができる。
【００９０】
Ｙ２側に配置される他方の内側接点ユニット４０の組み付け工程も同じであり、内側接点支持体４１が左内側保持開口部２２ｃ内に保持されると、内側レセプタクル接点部材３２の接触部３２ｄが、前方の左内側連結開口部２２ａの両側に形成された接触溝２８ａと、後方の左内側連結開口部２２ｂの両側に形成された接触溝２８ｂ内に下から挿入される。また、内側接点支持体４１からＹ２方向に延びる端子部４２ｅは、外側接点支持体３１の下面の位置決め凹部３１ｃ内を通過して位置決めされ、レセプタクル本体部１０の左側方壁部１４の下面の下を通過してＹ２方向へ延び出ている。
【００９１】
図１に示すように、接触溝２５内に位置する外側レセプタクル接点部材３２の接触部３２ｄは、右外側連結開口部１８を挟んで左右方向（Ｙ１−Ｙ２方向）に間隔を空けて対向している。図４に示すように、接触部３２ｄは接触溝２５内において、互いに広がる方向で移動余裕δを有している。同様に、接触溝２６内の接触部３２ｄは、左外側連結開口部１９を挟んで左右方向（Ｙ１−Ｙ２方向）に間隔を空けて対向し、接触溝２５内で前記δと同様の開き方向の移動余裕を有している。
【００９２】
内側接点ユニット４０の接触部４２ｄは、接触溝２７ａ内と接触溝２７ｂ内で、右内側連結開口部２１ａと右内側連結開口部２１ｂを挟んで左右方向（Ｙ１−Ｙ２方向）に間隔を空けて対向している。同様に、内側接点ユニット４０の接触部４２ｄは、接触溝２８ａ内と接触溝２８ｂ内で、左内側連結開口部２２ａと左内側連結開口部２２ｂを挟んで左右方向（Ｙ１−Ｙ２方向）に間隔を空けて対向している。それぞれの接触部４２ｄはそれぞれの接触溝内で、前記δと同様に、互いに開く方向へ移動余裕を有している。
【００９３】
図１に示すように組み立てられたレセプタクル側のコネクタ１は、一対の外側レセプタクル接点部材３２の接触部３２ｄの内側に内側レセプタクル接点部材４２の接触部４２ｄを配置したので、レセプタクル本体部１０のＸ−Ｙ平面内のスペースを有効に利用して、多数の接触部を配置することができる。
【００９４】
また、外側レセプタクル接点部材３２の接触部３２ｄを収納する接触溝２５，２６と、内側レセプタクル接点部材４２の接触部４２ｄを収納する接触溝２７ａ，２７ｂ，２８ａ，２８ｂとが、右側リブ１５と左側リブ１６および中央リブ１７において、左右方向（Ｙ１−Ｙ２方向）へ互い違いに入り込むように形成されている。そのため、外側レセプタクル接点部材３２の接触部３２ｄと、内側レセプタクル接点部材４２の接触部４２ｄとを、左右方向（Ｙ１−Ｙ２方向）へ互い違いに組み合わせることができる。
【００９５】
そのため、一対の外側接点ユニット３０と一対の内側接点ユニット４０とを、Ｙ１−Ｙ２方向に並べて配置しても左右方向（Ｙ１−Ｙ２方向）の寸法を短くできる。
【００９６】
図５（Ａ）（Ｂ）に示すように、内側レセプタクル接点部材４２の端子部４２ｅが、外側レセプタクル接点部材３２の接触部３２ｄと完全に重なるようにして、外側接点支持体３１の下側を通過している。そのため、内側レセプタクル接点部材４２と外側レセプタクル接点部材３２とを互い違いに配置したときに、外側レセプタクル接点部材３２と内側レセプタクル接点部材４２のＸ１−Ｘ２方向の配置ピッチも最短にできる。
【００９７】
図２に示すように、複数の外側レセプタクル接点部材３２が外側接点支持体３１に埋設されて固定されているため、同じ外側連結開口部１８，１９内に配列する外側レセプタクル接点部材３２の相対位置を高精度にでき、例えばＺ１方向での配列位置を高精度に設定できる。そのためプラグ側のコネクタ２が装着されたときに、それぞれの外側レセプタクル接点部材３２の接触部３２ｄによる加圧力を均一にしやすい。これは内側レセプタクル接点部材４２の接触部４２ｄの配列においても同じである。
【００９８】
レセプタクル側のコネクタ１を硬質基板などの配線基板に実装するときは、外側接点ユニット３０から延びる端子部３２ｅと、内側接点ユニット４０から延びる端子部４２ｅを、配線基板の通電部に形成されたランド部に半田付けする。
【００９９】
外側接点ユニット３０には金属板３３，３４が固定されており、この金属板３３，３４から延びる固定端子部３３ｃ，３４ｃが、配線基板の表面のランド部のいずれかに半田付けされる。このとき好ましくは接地電位のランド部に半田付けされる。固定端子部３３ｃ，３４ｃの半田付けにより、一対の外側接点ユニット３０，３０が配線基板の表面に強固に固定される。また、前記金属板３３，３４に形成された掛止片３３ｂ，３４ｂがレセプタクル本体部１０に掛止されているため、レセプタクル本体部１０も配線基板の表面に強固に固定される。
【０１００】
一方、一対の内側接点ユニット４０，４０は、配線基板とレセプタクル本体部１０の間に挟まれて保持されるため、図２に示す位置決め突起４１ａ，４１ｂを用いてレセプタクル本体部１０に位置決めしておけば、掛止片３３ｂ，３４ｂのような固定機構を設けなくても、不用意に動くことはなく、基板表面から離脱することはない。
【０１０１】
（プラグ側のコネクタの構造）
図１に示すように、プラグ側のコネクタ２は合成樹脂製のプラグ本体部５０を有している。プラグ本体部５０は、外側プラグ接点部材７１と内側プラグ接点部材７２および掛止接触部材７３とともにいわゆるインサート成型によって形成されている。プラグ本体部５０は、上下方向（Ｚ１−Ｚ２方向）の厚さ寸法よりも前後方向（Ｘ１−Ｘ２方向）および左右方向（Ｙ１−Ｙ２方向）の長さ寸法が大きい長方形の板形状である。プラグ本体部５０の前側面５１の中央にはＸ１方向へ突出する嵌合突部５１ａが形成され、後側面５２の中央にはＸ２方向へ突出する嵌合突部５２ａが一体に形成されている。
【０１０２】
プラグ本体部５０がレセプタクル本体部１０に装着されるときは、プラグ本体部５０の前側面５１と後面部５２が、レセプタクル本体部１０の前方位置決め面１１ｂと後方位置決め面１２ｂに当接して前後方向（Ｘ１−Ｘ２方向）への位置決めがなされ、プラグ本体部５０の右側面５３と左側面５４が、レセプタクル本体部１０の右側位置決め面１１ｃ，１２ｃと、左側位置決め面１１ｄ，１２ｄに当接して左右方向（Ｙ１−Ｙ２方向）への位置決めがなされる。
【０１０３】
プラグ本体部５０の嵌合突部５１ａ，５２ａが、レセプタクル本体部１０の位置決め凹部１１ａ，１２ａの底部に当たることで、プラグ本体部５０がレセプタクル本体部１０に対して上下方向（Ｚ１−Ｚ２方向）に位置決めされる。
【０１０４】
図８に示すように、プラグ本体部５０の下面には、右外側介入部６１と左外側介入部６２がＺ２方向へ隆起して形成されている。右外側介入部６１と左外側介入部６２は、Ｘ１−Ｘ２方向に延び、Ｘ１−Ｘ２方向の長さ寸法が、Ｙ１−Ｙ２方向の幅寸法よりも長い細長形状である。また、右外側介入部６１と左外側介入部６２の断面形状は矩形状である。
【０１０５】
右外側介入部６１の内側に、前方の右内側介入部６３ａと後方の右内側介入部６３ｂが一体に隆起し、左外側介入部６２の内側に、前方の左内側介入部６４ａと後方の左内側介入部６４ｂが一体に隆起している。
【０１０６】
右内側介入部６３ａ，６３ｂおよび左内側介入部６４ａ，６４ｂは、Ｘ１−Ｘ２方向に延び、Ｘ１−Ｘ２方向の長さ寸法が、Ｙ１−Ｙ２方向の幅寸法よりも長い細長形状である。また、その断面形状は矩形状である。
【０１０７】
プラグ本体部５０の前方（Ｘ１側）には前側面５１と連続する前方介入部６５がＺ２方向へ隆起形成され、後方（Ｘ２側）には後側面５２と連続する後方介入部６６がＺ２方向へ隆起形成されている。
【０１０８】
プラグ本体部５０がレセプタクル本体部１０に向けて結合方向であるＺ２方向へ押し込まれると、右外側介入部６１と左外側介入部６２が、レセプタクル本体部１０の右外側連結開口部１８と左外側連結開口部１９に入り込む。また、右内側介入部６３ａと右内側介入部６３ｂが、右内側連結開口部２１ａと右内側連結開口部２１ｂに入り込み、左内側介入部６４ａと左内側介入部６４ｂが、左内側連結開口部２２ａと左内側連結開口部２２ｂに入り込む。
【０１０９】
さらに、前方介入部６５は、レセプタクル本体部１０の、右側リブ１５と左側リブ１６および中央リブ１７のそれぞれの前端と、前方壁部１１との間の隙間内に入り込む。また、後方介入部６６が、右側リブ１５と左側リブ１６および中央リブ１７のそれぞれの後端と、後方壁部１２との間の隙間内に入り込む。
【０１１０】
プラグ本体部５０の右外側介入部６１と左外側介入部６２には、外側プラグ接点部材７１が埋設されている。図７に示すように、外側プラグ接点部材７１は、接触部７１ａと端子部７１ｂとが金属板で一体に形成されている。この金属板は、外側レセプタクル接点部材３２などの同じ板材で形成されている。接触部７１ａは、レセプタクル本体部１０に向けて突状に湾曲させまたは折曲げたものであり、プラグ本体部５０の右外側介入部６１と左外側介入部６２の外周面に沿うようにして埋設されている。
【０１１１】
図８に示すように、右外側介入部６１のＹ２側に向く内側面６１ａと外側プラグ接点部材７１の接触部７１ａの外面とがほぼ同一面である。また、右外側介入部６１のＹ１側に向く外側面と接触部７１ａの外面もほぼ同一面である。左外側介入部６２のＹ１側に向く内側面６２ａと接触部７１ａの外面とがほぼ同一面であり、左外側介入部６２のＹ２側に向く外側面と接触部７１ａの外面もほぼ同一面である。
【０１１２】
外側プラグ接点部材７１の接触部７１ａは、右外側介入部６１と左外側介入部６２に埋設されて固定されているため、前記接触部７１ａは弾性変形しない。
【０１１３】
外側プラグ接点部材７１の端子部７１ｂは、プラグ本体部５０の右側面５３および左側面５４から外方へ突出している。
【０１１４】
プラグ本体部５０の右内側介入部６３ａ，６３ｂと左内側介入部６４ａ，６４ｂには、内側プラグ接点部材７２が埋設されて保持されている。図７に示すように、内側プラグ接点部材７２は、接触部７２ａと端子部７２ｂとが一体に形成されている。内側プラグ接点部材７２を構成する金属板は、外側レセプタクル接点部材３２を構成する金属板と同じである。
【０１１５】
図８に示すように、内側プラグ接点部材７２の接触部７２ａは、レセプタクル本体部１０に向けて突状に湾曲させまたは折曲げたものであり、右内側介入部６３ａ，６３ｂと左内側介入部６４ａ，６４ｂの表面に倣って埋設されている。接触部７２ａは、右内側介入部６３ａ，６３ｂの右側面６３ｃと左側面６３ｄに現れている。この右側面６３ｃおよび左側面６３ｄと、接触部７２ａの外面とがほぼ同一面である。同様に、接触部７２ａは、左内側介入部６４ａ，６４ｂの右側面６４ｃと左側面６４ｄに現れている。右側面６４ｃおよび左側面６４ｄと、接触部７２ａの外面はほぼ同一面である。
【０１１６】
内側プラグ接点部材７２の接触部７２ａは、右内側介入部６３ａ，６３ｂと左内側介入部６４ａ，６４ｂに埋設されて固定されているため、前記接触部７２ａは弾性変形しない。
【０１１７】
内側プラグ接点部材７２のそれぞれの端子部７２ｂは、プラグ本体部５０の右側面５３と左側面５４とからＹ１方向とＹ２方向へ突出している。外側プラグ接点部材７１の端子部７１ｂと内側プラグ接点部材７２の端子部７２ｂは、それぞれプラグ側のコネクタ２が実装される配線基板、例えばフレキシブルな配線基板の通電部のランド部に半田付けされる。
【０１１８】
プラグ本体部５０の右外側介入部６１に埋設された外側プラグ接点部材７１の接触部７１ａと、左内側介入部６４ａ，６４ｂに埋設されている内側プラグ接点部材７２の接触部７２ａは、図４に示す溝中心線Ｌ１とＬ２上に位置するように配置されている。また、左外側介入部６２に埋設された外側プラグ接点部材７１の接触部７１ａと、右内側介入部６３ａ，６３ｂに埋設されている内側プラグ接点部材７２の接触部７２ａは、図４に示す溝中心線Ｌ３とＬ４上に位置するように配置されている。
【０１１９】
プラグ本体部５０が、レセプタクル本体部１０に嵌着されて位置決めされると、図８および図９に示すように、プラグ本体部５０に保持された外側プラグ接点部材７１の接触部７１ａが、レセプタクル本体部１０に保持された外側レセプタクル接点部材３２に形成された一対の接触部３２ｄの間に入り込む。また、プラグ本体部５０に保持された内側プラグ接点部材７２の接触部７２ａが、レセプタクル本体部１０に保持された内側レセプタクル接点部材４２に形成された一対の接触部４２ｄの間に入り込む。
【０１２０】
このとき、外側プラグ接点部材７１の接触部７１ａは、プラグ本体部５０に一体に形成された右外側介入部６１と左外側介入部６２に埋設されて固定されているため、前記接触部７１ａが弾性変形せず、外側レセプタクル接点部材３２に形成された一対の接触部３２ｄが互いに開くように弾性変形する。また、内側プラグ接点部材７２の接触部７２ａは、右内側介入部６３ａ，６３ｂと左内側介入部６４ａ，６４ｂに埋設されて固定されているため、前記接触部７２ａが弾性変形せず、内側レセプタクル接点部材４２に形成された一対の接触部４２ｄが互いに開くように弾性変形する。
【０１２１】
外側プラグ接点部材７１の接触部７１ａと内側プラグ接点部材７２の接触部７２ａとがＹ方向に弾性歪みを生じることなく、これを挟む外側レセプタクル接点部材３２の接触部３２ｄと内側レセプタクル接点部材４２の接触部４２ｄが弾性変形するため、外側レセプタクル接点部材３２の接触部３２ｄと内側レセプタクル接点部材４２の接触部４２ｄとによって、外側プラグ接点部材７１の接触部７１ａと内側プラグ接点部材７２の接触部７２ａとを適度な弾性力で確実に保持できるようになる。
【０１２２】
図４に示すように、レセプタクル本体部１０の接触溝２５,２６，２７ａ，２７ｂ，２８ａ，２８ｂの内部には、一対の接触部３２ｄおよび一対の接触部４２ｄがその間隔を広げる方向へ変形できるように移動余裕δが設けられている。そのため、一対の接触部３２ｄの間にプラグ側の接触部７１ａが挟み込まれ、一対の接触部４２ｄの間にプラグ側の接触部７２ａが挟み込まれたときに、接触部３２ｄ，４２ｄをＹ１−Ｙ２方向へ大きく撓ませることができ、レセプタクル側の接触部３２ｄ，４２ｄでプラグ側の接触部７１ａ，７２ａを十分な深さで保持できるようになる。
【０１２３】
また、プラグ側の接触部３２ｄ，４２ｄが、レセプタクル側の接触部３２ｄ，４２ｄで挟み込まれて、接触部３２ｄ，４２ｄがＹ１方向とＹ２方向へ互いに広がるときに、接触部３２ｄ，４２ｄが、接触溝２５,２６，２７ａ，２７ｂ，２８ａ，２８ｂのＹ１側またはＹ２側の奥端部に当たることが好ましい。すなわち、前記移動余裕δがゼロになっても、さらに対を成す接触部３２ｄと対を成す接触部４２ｄが互いに広がる方向へ変形することが好ましい。接触部３２ｄ，４２ｄが前記奥端部に当たってからも変形することで、対を成す接触部３２ｄ，４２ｄで、それ自体が変形しないレセプタクル側の接触部３２ｄ，４２ｄを強い力で保持できるようになる。
【０１２４】
プラグ側のコネクタ２では、右外側介入部６１の内面６１ａと接触部７１ａの外面とがほぼ同一面で、左外側介入部６２の内面６２ａと接触部７１ａの外面とがほぼ同一面である。また、右内側介入部６３ａ，６３ｂの両側面６３ｃ，６３ｄと接触部７２ａの外面とが同一面であり、左内側介入部６４ａ，６４ｂと接触部７２ａの外面とがほぼ同一面である。したがって、プラグ本体部５０がレセプタクル本体部１０に装着されたときに、プラグ側の接触部７１ａ，７２ａが、レセプタクル側の接触部３２ｄ，３２ｄの間および接触部４２ｄ，４２ｄの間に引っ掛かりを生じることなくスムースに介入できるようになる。
【０１２５】
図８に示すように、プラグ本体部５０の右外側介入部６１の前後方向（Ｘ１−Ｘ２方向）の端部に掛止接触部材７３が埋設されており、左外側介入部６２の前後方向の端部にも掛止接触部材７３が埋設されている。掛止接触部材７３は、右外側介入部６１および左外側介入部６２に埋設される埋設部７３ａと、プラグ本体部５０の右側面５３と左側面５４から外側へ突出する端子部７３ｂを有している。そして、前記埋設部７３ａには、右側面５３からＹ１方向へ突出する爪部７３ｃと、左側面５４からＹ２方向へ突出する爪部７３ｃが一体に形成されている。
【０１２６】
前記端子部７３ｂは、フレキシブルな配線基板などのいずれかのランド部に半田付けされ、好ましくは接地電位のランド部に半田付けされる。
【０１２７】
そして、プラグ本体部５０がレセプタクル本体部１０に装着されたときに、前記爪部７３ｃが、レセプタクル本体部１０の４箇所に設けられた掛止接触部３３ａ，３４ａの湾曲部に弾性的に掛止される。４箇所の爪部７３ｃによる掛止機構により、プラグ本体部５０がレセプタクル本体部１０から容易に抜け出ないように嵌着される。
【０１２８】
前記爪部７３ｃは、レセプタクル本体部１０に設けられた掛止接触部３３ａ，３４ａに設けられていてもよいし、プラグ本体部５０の掛止接触部材７３と、レセプタクル本体部１０に設けられた掛止接触部３３ａ，３４ａの双方に爪部７３ｃが設けられて互いに掛止されるものであってもよい。
【０１２９】
なお、本発明は、外側レセプタクル接点部材３２の接触部３２ｄと、内側レセプタクル接点部材４２の接触部４２ｄとが、図７に示すように、右側リブ１５、左側リブ１６および中央リブ１７において。Ｙ１−Ｙ２方向へ互い違いに入り込む構造に限られるものではなく、外側の接触部３２ｄと内側の接触部４２ｄとが、同じ溝中心線Ｌ１上に並んでいてもよい。
【符号の説明】
【０１３０】
１  レセプタクル側のコネクタ
２  プラグ側のコネクタ
１０  レセプタクル本体部
１１ｅ，１１ｆ，１２ｅ，１２ｆ  固定機構を構成する掛止凹部
１８  右外側連結開口部
１９  左外側連結開口部
２１ａ，２１ｂ  右内側連結開口部
２２ａ，２２ｂ  左内側連結開口部
２５,２６，２７ａ，２７ｂ，２８ａ，２８ｂ  接触溝
３０  外側接点ユニット
３１  外側接点支持体
３２  外側レセプタクル接点部材
３２ｄ  接触部
３２ｅ  端子部
４０  内側接点ユニット
４１  内側接点支持体
４２  内側レセプタクル接点部材
４２ｄ  接触部
４２ｅ  端子部
５０  プラグ本体部
６１  右外側介入部
６２  左外側介入部
６３ａ，６３ｂ  右内側介入部
６４ａ，６４ｂ  左内側介入部
７１  外側プラグ接点部材
７１ａ  接触部
７１ｂ  端子部
７２  内側プラグ接点部材
７２ａ  接触部
７２ｂ  端子部
【図１】
2010182611.tif 000003
【図２】
2010182611.tif 000004
【図３】
2010182611.tif 000005
【図４】
2010182611.tif 000006
【図５】
2010182611.tif 000007
【図６】
2010182611.tif 000008
【図７】
2010182611.tif 000009
【図８】
2010182611.tif 000010
【図９】
2010182611.tif 000011